(57)【要約】    【課題】ＷＤＭデバイスの使用個数を全体的に減少させる。【解決手段】本発明の双方向多重通信システムは、局舎側に設けられ波長の異なる複数の光信号を合波する第１のＷＤＭデバイス（局舎側ＷＤＭデバイス）１４ｂと、加入者側に設けられ波長の異なる複数の光信号を分離する第２のＷＤＭデバイス（加入者側ＷＤＭデバイス）４１と、局舎側と加入者側間に接続され光信号を伝送する１心の光伝送路５と、光伝送路の途中に設けられ光信号を分配するカプラ６２ａ、６２ｂとを備えている。  第２のＷＤＭデバイス４１及びカプラ６２ａ、６２ｂは、例えば加入者側の近傍に設置された分岐接続箱としての柱上クロージャ６内に配設されている。【選択図】図２
2005294994.tif 000002
【特許請求の範囲】
【請求項１】
局舎側に設けられ波長の異なる複数の光信号を合波する第１のＷＤＭデバイスと、加入者側に設けられ波長の異なる複数の光信号を分離する第２のＷＤＭデバイスと、前記局舎側と前記加入者側間に接続され前記光信号を伝送する１心の光伝送路と、前記光伝送路の途中に設けられ前記光信号を分配するカプラとを備え、
前記第２のＷＤＭデバイスは、前記光伝送路の途中であって、前記光信号の分岐前位置に配設されていることを特徴とする双方向多重通信システム。
【請求項２】
前記第２のＷＤＭデバイス及び前記カプラは、前記加入者側若しくは加入者側の近傍に設置された分岐接続箱内に配設されていることを特徴とする請求項１記載の双方向多重通信システム。
【請求項３】
前記加入者側には映像系光受信機およびデータ系光送受信機が設けられ、前記映像系光受信機およびデータ系光送受信機は、ドロップケーブルから成る２心の光伝送路を介して前記分岐接続箱に接続されていることを特徴とする請求項１または請求項２記載の双方向多重通信システム。
【請求項４】
前記光信号は、光波長帯域が１．５５μｍの映像信号と、光波長帯域が１．４９μｍの下りデータ信号と、光波長帯域が１．３１μｍの上りデータ信号であることを特徴とする請求項１乃至請求項３記載の双方向多重通信システム。
【発明の詳細な説明】
【技術分野】
【０００１】
本発明は、双方向多重通信システムに係わり、特に映像信号と、上り下りのデータ信号を光伝送路で双方向通信する場合に有用な双方向多重通信システムに関する。
【背景技術】
【０００２】
近年、ＣＡＴＶ用のデジタル化対応として、ユーザ宅までオール光化による経済性と充分な帯域を確保したトリプルサービスが可能な１心３波多重通信システムが多用されている（例えば、特許文献１参照）。
【０００３】
図４は、従来の１心３波多重によるＰＯＮ（Ｐａｓｓｉｖｅ Ｏｐｔｉｃａｌ Ｎｅｔｗｏｒｋ）システムのシステム構成図を示している。同図において、従来の１心３波多重によるＰＯＮシステムは、局舎側に設けられる映像ＰＯＮ１およびＥ−ＰＯＮ（Ｅｔｈｅｒｎｅｔ（登録商標）−Ｐａｓｓｉｖｅ Ｏｐｔｉｃａｌ Ｎｅｔｗｏｒｋ）２と、加入者側に設けられるＦＴＴＨ（Ｆｉｂｅｒ Ｔｏ Ｔｈｅ Ｈｏｍｅ）用光映像受信機４と、局舎側と加入者側間に接続され光信号を伝送する光伝送路５と、光伝送路の途中に配設されるクロージャ６とを備えている。なお、図４においては、説明を簡単にするため、一つの加入者側のみが図示されている。
【０００４】
映像ＰＯＮ１は、アナログテレビジョン（ＴＶ）やデジタルＴＶのヘッドエンド７に接続される外部変調器１１と、外部変調器１１の出力側に接続される第１、第２の２分岐カプラ１２ａ、１２ｂと、第１の２分岐カプラの出力側に接続される第１、第２の光増幅器（ＥＤＦＡ）１３ａ、１３ｂと、第２の２分岐カプラ１２ｂの出力側に接続される第３、第４の光増幅器１３ｃ、１３ｄと、第１〜第４の光増幅器１３ａ〜１３ｄの出力側にそれぞれ接続される第１〜第４のＷＤＭデバイス（以下「第１〜第４の局舎側ＷＤＭデバイス」という。）１４ａ〜１４ｄとを備えている。また、Ｅ−ＰＯＮ２は、ネットワーク８に接続されるＥ−ＰＯＮ光回線終端装置（Ｏｐｔｉｃａｌ Ｌｉｎｅ Ｔｅｒｍｉｎａｌ）２１を備えており、この光回線終端装置２１の出力側には第１〜第４の局舎側ＷＤＭデバイス１４ａ〜１４ｄの入力側が接続されている。
【０００５】
クロージャ６は、最大で３２分岐可能なカプラ（不図示）を内蔵する後分岐クロージャで構成され、この後分岐クロージャの出力側にはＦＴＴＨ用光映像受信機４が接続されている。
【０００６】
ＦＴＴＨ用光映像受信機４は、分岐クロージャ６の出力側に接続され放送用信号（１．５５μｍ）およびデータ信号（１．４９μｍ）を分波するＷＤＭデバイス（以下「加入者側ＷＤＭデバイス」という。）４１と、加入者側ＷＤＭデバイス４１の出力側に接続される光受信機（Ｖ−ＯＮＵ）４２とを備えており、光受信機の出力側４２にはＳＴＶ（Ｓｅｔ Ｔｏｐ Ｖｏｘ）４３を介してＴＶ４４が接続され、また、加入者側ＷＤＭデバイス４１の出力側にはＥ−ＰＯＮ光ネットワーク装置（Ｏｐｔｉｃａｌ Ｎｅｔｗｏｒｋ Ｕｎｉｔ）４５を介してパーソナルコンピュータ（ＰＣ）４６が接続されている。
【０００７】
クロージャ６は、図５に示すように、光伝送路から分岐線６１を介して接続されたカプラ６２を備えており、このカプラ６２には１心ドロップケーブル６３を介して加入者側ＷＤＭデバイス４１が接続され、また、加入者側ＷＤＭデバイス４１の出力側には光受信機（Ｖ−ＯＮＵ）４２およびＥ−ＰＯＮ光ネットワーク装置４５（データＯＮＵ）が接続されている。
【０００８】
このような構成の１心３波多重によるＰＯＮシステムにおいては、加入者側から局舎側への下りデータ信号として１．４９μｍの光波長帯域が、映像信号として１．５５μｍの光波長帯域がそれぞれ使用され、また加入者側から局舎側への上りデータ信号として１．３１μｍの光波長帯域が使用されている。
【０００９】
ところで、このような構成の１心３波多重によるＰＯＮシステムにおいては、映像信号およびデータ信号の光信号を合波するためのＷＤＭデバイス（局舎側ＷＤＭデバイス）を局舎側に配設し、さらに映像信号およびデータ信号の光信号を分離するためのＷＤＭデバイス（加入者ＷＤＭデバイス）を加入者側に配設する必要がある。
【００１０】
従来、例えば、３２世帯のＦＴＴＨシステムを構築するためには、局舎側に1個の局舎側ＷＤＭデバイスを、加入者側に３２個の加入者ＷＤＭデバイスを配設する必要があった。
【００１１】
【特許文献１】特開平８−１８５１４号公報（段落番号「０００８」、図１）
【００１２】
このような構成の１心３波多重によるＰＯＮシステムは、本来、1心の光ファイバを映像信号とデータ信号で共有するため線路コストを安くできるはずであるが、上記のＷＤＭデバイスが高価であるため、現状においては、次に述べる２心双方向通信システムとのコスト比較（架空光ケーブル布設コストおよびＷＤＭデバイスのコスト比較）を行った上で、１心３波多重によるＰＯＮシステムおよび２心双方向通信システムの何れのシステムが有利かを考慮した上で何れかのシステムを決定している。
【００１３】
ここで、２心双方向通信システムは、映像信号用の光伝送路とデータ信号用の光伝送路を別個に設けるシステムで、1心３波多重双方向通信システムと比較すれば、映像信号とデータ信号を合分波するＷＤＭデバイスデバイスを局舎側と加入者側に配設しなくてもよいという利点を有しているが、このシステムには次のような難点がある。すなわち、光伝送路としての架空光ケーブルの心線数が２倍必要になるとともに、図６に示すように、クロージャ６内で光伝送路５から第１、第２の分岐線６１ａ、６１ｂを介して第１、第２のカプラ６２ａ、６２ｂを設ける必要があり、さらに、第１、第２のカプラ６２ａ、６２ｂと加入者側のＶ−ＯＮＵ４２、データＯＮＵ４５間を接続するドロップケーブルとして２心のドロップケーブル６３ａが必要になるという難点がある。
【００１４】
一方、ＷＤＭデバイスは微小光学部品を組み立てて製造されており、組み立ての位置調整が極めて難しいためコストダウンが難しい状況にある。また、ＷＤＭデバイスの数量が多い場合はＷＤＭデバイスが故障する確立も高くなり、当該ＷＤＭデバイスのメンテナンスもその数量に応じて煩雑になるという難点がある。従って、１心３波多重双方向通信システムを本格的に普及させるためにはＷＤＭデバイスの使用個数を全体的に減少させ、かつシステム全体に占めるＷＤＭデバイスのコストを低減することが不可欠である。
【発明の開示】
【発明が解決しようとする課題】
【００１５】
本発明は、上述の難点を解決するためになされたもので、ＷＤＭデバイスを光伝送路の途中であって、光信号の分岐前位置に配設することにより、ＷＤＭデバイスの使用個数を全体的に減少させ、かつシステム全体のコストダウンを図ることができる双方向多重通信システムを提供することを目的としている。
【課題を解決するための手段】
【００１６】
本発明の第１の態様である双方向多重通信システムは、局舎側に設けられ波長の異なる複数の光信号を合波する第１のＷＤＭデバイスと、加入者側に設けられ波長の異なる複数の光信号を分離する第２のＷＤＭデバイスと、局舎側と加入者側間に接続され光信号を伝送する１心の光伝送路と、光伝送路の途中に設けられ光信号を分配するカプラとを備え、第２のＷＤＭデバイスは、光伝送路の途中であって、光信号の分岐前位置に配設されているものである。
【００１７】
本発明の第２の態様は、第１の態様である双方向多重通信システムにおいて、第２のＷＤＭデバイス及びカプラは、加入者側若しくは加入者側の近傍に設置された分岐接続箱内に配設されているものである。
【００１８】
本発明の第３の態様は、第１の態様または第２の態様である双方向多重通信システムにおいて、加入者側には映像系光受信機およびデータ系光送受信機が設けられ、映像系光受信機およびデータ系光送受信機は、ドロップケーブルから成る２心の光伝送路を介して分岐接続箱に接続されているものである。
【００１９】
本発明の第４の態様は、第１の態様乃至第３の態様の何れかの態様である双方向多重通信システムにおいて、光信号は、光波長帯域が１．５５μｍの映像信号と、光波長帯域が１．４９μｍの下りデータ信号と、光波長帯域が１．３１μｍの上りデータ信号である。
【発明の効果】
【００２０】
本発明の第１の態様乃至第４の態様の双方向多重通信システムによれば、ＷＤＭデバイスを光伝送路の途中であって、光信号の分岐前位置に配設することにより、次のような効果がある。
【００２１】
第１に、ＷＤＭデバイスの使用個数を全体的に減少させることができる。
【００２２】
第２に、ＷＤＭデバイスの使用個数を減少させることでＷＤＭデバイスの故障数を減らすことができる。
【００２３】
第３に、ＷＤＭデバイスの使用個数を減少させることでＷＤＭデバイスのメンテナンスを容易に行なうことができる。
【００２４】
第４に、システム全体のコストダウンを図ることができる。
【発明を実施するための最良の形態】
【００２５】
以下、本発明の双方向多重通信システムを適用した好ましい実施の形態について、図面を参照して説明する。
【００２６】
図１は、本発明の双方向多重通信システムのシステム構成図を示している。なお、図１並びに後述する図２および図３において、図４〜図６と共通する部分には同一の符号が付されている。
【００２７】
図１において、本発明の双方向多重通信システムは、局舎側に設けられる映像ＰＯＮ１およびＥ−ＰＯＮ２と、加入者側に設けられるＦＴＴＨ用光映像受信機４と、局舎側と加入者側間に接続され、光信号を伝送する１心の光ファイバケーブルから成る光伝送路５と、光伝送路５の途中に配設される分岐接続箱としてのクロージャ６とを備えている。なお、図１においては、説明を簡単にするため、一つの加入者側のみが図示されている。
【００２８】
映像ＰＯＮ１は、アナログＴＶやデジタルＴＶのヘッドエンド７に接続された外部変調器１１と、外部変調器１１の出力側に接続される第１、第２の２分岐カプラ１２ａ、１２ｂと、第１の２分岐カプラの出力側に接続され光信号の出力を増幅する第１、第２の光増幅器（ＥＤＦＡ）１３ａ、１３ｂと、第２の２分岐カプラの出力側に接続され接続され光信号の出力を増幅する第３、第４の光増幅器１３ｃ、１３ｄと、第１〜第４の光増幅器１３ａ〜１３ｄの出力側にそれぞれ接続される第１〜第４のＷＤＭデバイス（第１〜第４の局舎側ＷＤＭデバイス）１４ａ〜１４ｄとを備えている。また、Ｅ−ＰＯＮ２は、ネットワーク８に接続されるＥ−ＰＯＮ光回線終端装置２１を備えており、この光回線終端装置２１の出力側には第１〜第４の局舎側ＷＤＭデバイス１４ａ〜１４ｄの入力側が接続されている。
【００２９】
分岐接続箱としてのクロージャ６は、最大で３２分岐可能なカプラ（不図示）を内蔵する後分岐クロージャで構成され、このクロージャ６の出力側にはＦＴＴＨ用光映像受信機４およびＥ−ＰＯＮ光ネットワーク装置（ＯＮＵ）４５が接続され、Ｅ−ＰＯＮ光ネットワーク装置４５にはＰＣ４６が接続されている。
【００３０】
ＦＴＴＨ用光映像受信機４は、クロージャ６の出力側に接続される光受信機（Ｖ−ＯＮＵ）４２を備えており、光受信機４２の出力側にはＳＴＶ４３を介してＴＶ４４が接続されている。
【００３１】
分岐接続箱としてのクロージャ６は、図２に示すように、光伝送路５から分岐線６１を介して接続されたＷＤＭデバイス（加入者側ＷＤＭデバイス）４１と、この加入者側ＷＤＭデバイス４１の出力側に接続され光信号を分配するカブラ第１、第２のカプラ６２ａ、６２ｂを備えており、第１、第２のカプラ６２ａ、６２ｂの出力側には２心ドロップケーブル６３ａを介して光受信機（Ｖ−ＯＮＵ）４２およびＥ−ＰＯＮ光ネットワーク装置４５（データＯＮＵ）が接続されている。ここで、２心ドロップケーブル６３ａを構成する第１の線心６３１の一端部は第１のカプラ６２ａに、他端部はＦＴＴＨ用光映像受信機４に接続され、第２の線心６３２の一端部は第２のカプラ６２ｂに、他端部はＥ−ＰＯＮ光ネットワーク装置４５（データＯＮＵ）に接続されている。
【００３２】
図３は、加入者側の近傍に設置された分岐接続箱としての柱上クロージャの配設状況を示す模式図である。同図（ａ）において、加入者宅Ｈの近傍には第１、第２の柱Ｐ１、Ｐ２が立設され、第１、第２の柱Ｐ１、Ｐ２間には架空光ケーブルから成る光伝送路５が架設されている。そして、架設された光伝送路５の途中には分岐接続箱としてのクロージャ６が設けられており、このクロージャ６には２心ドロップケーブル６３ａを介して加入者側Ｈが接続されている。
【００３３】
２心ドロップケーブル６３ａは、図３（ｂ）に示すように、平行に配設された第１、第２の線心６３１、６３２と、第１の線心６３１の上部位置に第１の線心と平行に配設された例えば直径０．４ｍｍのＦＲＰ線から成る第１のテンションメンバ６３３と、第２の線心６３２の下部位置に第２の線心と平行に配設された例えば直径０．４ｍｍのＦＲＰ線から成る第２のテンションメンバ６３４と、第１のテンションメンバ６３３の上部位置に第１のテンションメンバと平行に配設された例えば直径１．２ｍｍの鋼線から成る支持線６３５と、第１、第２の線心６３１、６３２、第１、第２のテンションメンバ６３４、６３４および支持線６３５を一体化するように押出被覆された難燃ポリエチレン樹脂等から成る共通外被６３６とで構成されている。
【００３４】
このような構成の双方向多重通信システムによれば、局舎側から送信される１．５５μｍの映像信号および１．４９μｍの下りデータ信号は第２の局舎側ＷＤＭデバイス４ｄ（第１のＷＤＭデバイス）で合波され、光伝送路５を介してクロージャ６内の加入者側ＷＤＭデバイス（第２のＷＤＭデバイス）４１へ伝送される。そして、加入者側ＷＤＭデバイス４１に伝送された光信号は、当該加入者側ＷＤＭデバイス４１において映像信号と下りデータ信号とに分離され、分離された映像信号は光受信機（Ｖ−ＯＮＵ）４２へ、下りデータ信号はＥ−ＰＯＮ光ネットワーク装置（データＯＮＵ）４５へそれぞれ伝送される。
【００３５】
ここで、本発明の双方向多重通信システムと従来の２心双方向通信システムにおけるＷＤＭデバイスやカプラの使用個数およびドロップケーブルの線心数並びにこれらの部材の設置に要するコストを比較すると、先ず、カプラについては、本発明の双方向多重通信システムでは、２倍の個数のカプラが必要になるものの、このようなカプラは、近年における導波路型カプラの採用により、カプラ２個分の機能を１個に集積することによりコストアップを抑えることができる。また、ドロップケーブルについては、２心のドロップケーブルが必要になることから、単心のドロップケーブルと比較すれば１心分増加する分だけコストアップになるものの、ドロップケーブルが全体のシステムに占めるコストは僅かである。
【００３６】
次に、例えば柱上クロージャ内のカプラで３２分配するものすると、従来の双方向多重通信システムでは、局舎側に１個、加入者側に３２個（合計３３個）のＷＤＭデバイスが必要になるのに対し、本発明の双方向多重通信システムでは局舎側に１個、加入者側に１個（合計２個）のＷＤＭデバイスを配設するのみでシステムを構築することができる。
【００３７】
従って、本発明の双方向多重通信システムによれば、加入者側ＷＤＭデバイスを光伝送路５の途中であって、光信号の分岐前位置、すなわち、第１、第２のカプラ６２ａ、６２ｂの直前に配設することにより、加入者側ＷＤＭデバイスの使用個数を全体的に減少させることができ、ひいてはシステム全体のコストダウンを図ることができる。
【産業上の利用可能性】
【００３８】
本発明の双方向多重通信システムは、前述の実施例に限定されず、例えば次に述べるようにしても、本発明の双方向多重通信システムと同様の効果を奏する。
【００３９】
第１に、前述の実施例では、加入者側ＷＤＭデバイスおよびカプラを加入者側近傍に設置された分岐接続箱としての柱上クロージャ内に設置した例について説明しているが、本発明はこれに限定されず、例えば集合住宅内などの機器室内や加入者側の近傍に設置された接続箱内に収納してもよい。
【００４０】
第２に、前述の実施例では、クロージャ内に３２分岐カプラを設置した例について説明しているが、局舎側内に４分岐カブラ、加入者側近傍の柱上クロージャに８分岐カブラを設置してもよい。
【００４１】
第３に、ドロップケーブルは前述の実施例に限定されず、例えば中心に配設された例えば複数のテープ心線と、テープ心線の上部にテープ心線と平行に配設された支持線とを共通外被で一体化した構成のいわゆるダルマ形のドロップケーブルを用いてもよい。
【図面の簡単な説明】
【００４２】
【図１】本発明の双方向多重通信システムの構成図。
【図２】本発明の双方向多重通信システムにおけるクロージャの構成図。
【図３】本発明の双方向多重通信システムにおける柱上クロージャの配設状況を示す説明図で、図３（ａ）は光伝送路、柱上クロージャおよびドロップケーブルの配設状況を示す模式図、図３（ｂ）はドロップケーブルの断面図。
【図４】従来の１心３波双方向多重通信システムの構成図。
【図５】従来の１心３波双方向多重通信システムにおけるクロージャの構成図。
【図６】従来の双方向多重通信システムにおけるクロージャの構成図。
【符号の説明】
【００４３】
１４ａ〜１４ｄ・・・第１のＷＤＭデバイス（局舎側ＷＤＭデバイス）
４２・・・第２のＷＤＭデバイス（加入者側ＷＤＭデバイス）
５・・・光伝送路
６２ａ、６２ｂ・・・カプラ
６・・・柱上クロージャ（分岐接続箱）
３・・・映像系光受信機
４・・・データ系光送受信機
６３ａ・・・ドロップケーブル（２心の光伝送路）
【図１】
2005294994.tif 000003
【図２】
2005294994.tif 000004
【図３】
2005294994.tif 000005
【図４】
2005294994.tif 000006
【図５】
2005294994.tif 000007
【図６】
2005294994.tif 000008